(57)【要約】【課題】  コンクリート製護岸用４脚ブロックの上に配置して使用しても釣竿支持の安定性がよく、更には、その構造も比較的簡単な釣竿支持具を提供する。【解決手段】  コンクリート製護岸用４脚ブロック１１の上に取付けて用いる釣竿支持具１０であって、コンクリート製護岸用４脚ブロック１１の一部に曲面に沿って載置される載置台１２と、載置台１２の両端に連結され、載置台１２をコンクリート製護岸用４脚ブロック１１の一部に載置状態で固定する紐材１５と、載置台１２の前側に設けられ、上部に開放するＵ字状溝２５ａを備えた竿載せ部１６と、載置台１２の後ろ側に設けられ、竿載せ部１６に載せた釣竿２１の基端が持ち上がるのを止める山形天井を備えた竿止め部１７とを有する。【選択図】        図１
2005151811.tif 000002
【特許請求の範囲】
【請求項１】
コンクリート製護岸用４脚ブロックの上に取付けて用いる釣竿支持具であって、
前記コンクリート製護岸用４脚ブロックの一部に曲面に沿って載置される載置台と、
前記載置台の両端に連結され、前記載置台を前記コンクリート製護岸用４脚ブロックの一部に載置状態で固定する紐材と、
前記載置台の前側に設けられ、上部に開放するＵ字状溝を備えた竿載せ部と、
前記載置台の後ろ側に設けられ、前記竿載せ部に載せた釣竿の基端が持ち上がるのを止める山形天井を備えた竿止め部とを有することを特徴とする釣竿支持具。
【請求項２】
請求項１記載の釣竿支持具において、前記載置台は、所定の隙間を設けて平行に配置される第１、第２の直線材と、該第１、第２の直線材に直交状態で連結し、前記コンクリート製護岸用４脚ブロックの湾曲状況に合わせて湾曲した支持部材とを有し、更に、前記竿載せ部と前記竿止め部の軸心と、前記支持部材の軸心とは一致していることを特徴とする釣竿支持具。
【請求項３】
請求項２記載の釣竿支持具において、前記支持部材の前端及び後端には、前記紐材を連結するための第１、第２の掛止部材が設けられていることを特徴とする釣竿支持具。
【請求項４】
請求項２及び３のいずれか１項に記載の釣竿支持具において、前記第１、第２の直線材又は前記支持部材には、釣竿の基部を挿入して釣竿を立てる釣竿立設管が設けられていることを特徴とする釣竿支持具。
【請求項５】
請求項１〜４のいずれか１項に記載の釣竿支持具において、前記載置台、前記竿載せ部及び前記竿止め部は、ステンレス、アルミニウム及びアルミニウム合金のいずれか１から構成され、更に、前記竿載せ部のＵ字状溝には載せた釣竿に疵が付くのを防止する第１の軟質部材が配置され、前記竿止め部の山形天井には掛止した釣竿に疵が付くのを防止する第２の軟質部材が配置されていることを特徴とする釣竿支持具。
【請求項６】
請求項１〜５のいずれか１項に記載の釣竿支持具において、前記載置台の底面から複数の滑り止め突起が突出していることを特徴とする釣竿支持具。
【発明の詳細な説明】
【技術分野】
【０００１】
本発明は、海岸等に配置されるコンクリート製護岸用４脚ブロック（一般には、テトラポッド（商標名）といわれる）の上で魚釣りを行うのに最適な釣竿支持具に関する。
【背景技術】
【０００２】
例えば、特許文献１において、コンクリート製護岸用４脚ブロック上で魚釣りをする場合に使用される釣竿受け用保持具が提案されている。この釣竿受け用保持具は、コンクリート製護岸用４脚ブロックの一部に基台を載せ、この基台をベルトによってコンクリート製護岸用４脚ブロックに固定し、更に基台の上に釣竿受けを配置した構造であった。
【０００３】
【特許文献１】特開２００３−８８２８６号公報（図１〜図８）
【発明の開示】
【発明が解決しようとする課題】
【０００４】
しかしながら、前記特許文献１記載の釣竿受け用保持具においては、釣竿の中間部は、釣竿受けによって固定されるが、釣竿の基部はコンクリート製護岸用４脚ブロックの上に載っているので、横風等を受けた場合には、簡単に釣竿の基部がコンクリート製護岸用４脚ブロックから滑り落ちて安定性が悪いという問題があった。
【０００５】
本発明はかかる事情に鑑みてなされたもので、コンクリート製護岸用４脚ブロックの上に配置して使用しても釣竿支持の安定性がよく、更には、その構造も比較的簡単な釣竿支持具を提供することを目的とする。
【課題を解決するための手段】
【０００６】
前記目的に沿う請求項１記載の釣竿支持具は、コンクリート製護岸用４脚ブロックの上に取付けて用いる釣竿支持具であって、
前記コンクリート製護岸用４脚ブロックの一部に曲面に沿って載置される載置台と、
前記載置台の両端に連結され、前記載置台を前記コンクリート製護岸用４脚ブロックの一部に載置状態で固定する紐材と、
前記載置台の前側に設けられ、上部に開放するＵ字状溝を備えた竿載せ部と、
前記載置台の後ろ側に設けられ、前記竿載せ部に載せた釣竿の基端が持ち上がるのを止める山形天井を備えた竿止め部とを有している。
なお、ここで、紐材には、単にロープや紐状物の他に、バンド状物も含む。
【０００７】
また、請求項２記載の釣竿支持具は、請求項１記載の釣竿支持具において、前記載置台は、所定の隙間を設けて平行に配置される第１、第２の直線材と、該第１、第２の直線材に直交状態で連結し、前記コンクリート製護岸用４脚ブロックの湾曲状況に合わせて湾曲した支持部材とを有し、更に、前記竿載せ部と前記竿止め部の軸心と、前記支持部材の軸心とは一致している。
なお、第１、第２の直線材と、支持部材との連結は溶接で行ってもよいが、例えば、ピンやボルト、ナットで連結して、支持部材に対して第１、第２の直線材を回動させて、コンパクト化することもできる。
【０００８】
請求項３記載の釣竿支持具は、請求項２記載の釣竿支持具において、前記支持部材の前端及び後端には、前記紐材を連結するための第１、第２の掛止部材が設けられている。この掛止部材は、紐材を挿通する孔でもよいし、支持部材に固定した突出物、あるいは棒材、板材であってもよい。
【０００９】
請求項４記載の釣竿支持具は、請求項２及び３記載の釣竿支持具において、前記第１、第２の直線材又は前記支持部材には、釣竿の基部を挿入して釣竿を立てる釣竿立設管が設けられている。
【００１０】
請求項５記載の釣竿支持具は、請求項１〜４記載の釣竿支持具において、前記載置台、前記竿載せ部及び前記竿止め部は、ステンレス、アルミニウム及びアルミニウム合金のいずれか１から構成され、更に、前記竿載せ部のＵ字状溝には載せた釣竿に疵が付くのを防止する第１の軟質部材が配置され、前記竿止め部の山形天井には掛止した釣竿に疵が付くのを防止する第２の軟質部材が配置されている。
そして、請求項６記載の釣竿支持具は、請求項１〜５記載の釣竿支持具において、前記載置台の底面から複数の滑り止め突起が突出している。この滑り止め突起は、載置台に突出加工をしたものでもよいが、表面側からボルト（例えば、皿ボルト）を貫通させてもよい。
【発明の効果】
【００１１】
請求項１〜６記載の釣竿支持具においては、コンクリート製護岸用４脚ブロックの上に載せられる載置台の前側及び後ろ側にそれぞれ竿載せ部と竿止め部を有し、載置台を紐材によってコンクリート製護岸用４脚ブロックに固定した状態で、長尺の釣竿の基側中間部を竿載せ部に載せ、基側端部を竿止め部によって止めているので、この釣竿支持具に釣竿を安定的に固定することができ、横風に対しても釣竿の基端が飛ばされることがない。
【００１２】
特に、請求項２記載の釣竿支持具は、載置台が、所定の隙間を設けて平行に配置される第１、第２の直線材と、第１、第２の直線材に直交状態で連結し、コンクリート製護岸用４脚ブロックの湾曲状況に合わせて湾曲した支持部材とを有し、更に、竿載せ部と竿止め部の軸心と、支持部材の軸心とは一致しているので、全体としての構成が簡単になって、製造原価を下げることができる。
【００１３】
請求項３記載の釣竿支持具は、支持部材の前端及び後端には、紐材を連結するための第１、第２の掛止部材が設けられているので、支持部材の両端に紐材を取付けて、支持部材をコンクリート製護岸用４脚ブロックに沿わせて固定することができる。
【００１４】
請求項４記載の釣竿支持具においては、第１、第２の直線材又は支持部材には、釣竿の基部を挿入して釣竿を立てる釣竿立設管が設けられているので、このパイプに釣竿の基端部を差し込んで、釣竿を立てた状態で固定することができる。
【００１５】
請求項５記載の釣竿支持具においては、載置台、竿載せ部及び竿止め部は、ステンレス、アルミニウム及びアルミニウム合金のいずれか１から構成され、更に、竿載せ部のＵ字状溝には載せた釣竿に疵が付くのを防止する第１の軟質部材が配置され、竿止め部の山形天井には掛止した釣竿に疵が付くのを防止する第２の軟質部材が配置されているので、釣竿に疵が付かない。
【００１６】
そして、請求項６記載の釣竿支持具においては、載置台の底面から複数の滑り止め突起が突出しているので、この釣竿支持具をコンクリート製護岸用４脚ブロックに、より強固に固定できる。
【発明を実施するための最良の形態】
【００１７】
続いて、添付した図面を参照しつつ、本発明を具体化した実施の形態につき説明し、本発明の理解に供する。
ここに、図１は本発明の一実施の形態に係る釣竿支持具の斜視図、図２（Ａ）、（Ｂ）、（Ｃ）は、それぞれ図１における（ａ）部、（ｂ）部、（ｃ）部の拡大断面図、図３は本発明の一実施の形態に係る釣竿支持具の使用状態を示す斜視図である。
【００１８】
図１〜図３に示すように、本発明の一実施の形態に係る釣竿支持具１０は、コンクリート製護岸用４脚ブロック１１の一部に曲面に沿って載置される載置台１２と、載置台１２の前後両端に設けられた第１、第２の掛止部材の一例である掛止ロッド１３、１４に連結される紐材１５と、載置台１２の前側に設けられた竿載せ部１６、載置台１２の後ろ側に設けられた竿止め部１７とを有している。以下、これらについて詳しく説明する。
【００１９】
載置台１２は、所定の隙間を設けて平行に配置される第１、第２の直線材（板材）１８、１９と、第１、第２の直線材１８、１９に直交状態で連結し、湾曲形成された支持部材の一例である長尺板２０とを有し、更に、竿載せ部１６と竿止め部１７の軸心と、長尺板２０の軸心とは一致している。
そして、竿載せ部１６の片側であって、第１の直線材１８の上には、釣竿２１の基部を挿入（嵌入）して釣竿２１を立てる釣竿立設管２２が設けられている。
そして、この釣竿支持具１０は、紐材１５を除く主要部分はアルミニウム又はアルミニウム合金からなって、全体の軽量化が図られている。
【００２０】
竿載せ部１６は、図２（Ａ）に示すように、第１の直線材１８の中央部分に配置されて、両側の脚部２３、２４と脚部２３、２４の上側を連結するＵ字状板２５とを有し、上部に開放するＵ字状板２５のＵ字状溝２５ａの内側には第１の軟質部材の一例である発泡性プラスチック板（又は発泡性ゴム）２６が貼着されている。脚部２３の側面に沿わせて前記した釣竿立設管２２が設けられている。また、脚部２４の中間部又は下部には貫通孔が設けられて、ステンレス製のチェーン（長さ３０〜４０ｃｍ）２４ａが取付けられている。なお、チェーン２４ａは直に脚部２４に取付けてもよいし、別の取付け材（例えば、ワイヤ）を用いて貫通孔に取付けてもよい。このチェーン２４ａは大型の魚が掛かった場合等に、魚によって釣竿２１を引き込まれないようにするもので、チェーン２４ａの端部を釣竿２１に巻き付けておくか、別の紐を介して釣竿２１又はそれに取付けられているリール２１ａ等に固定する。
第１の直線材１８の両側には、底面から２〜５ｍｍ程度の長さで突出する滑り止め突起２７、２８が設けられているが、この滑り止め突起２７、２８は、第１の直線材１８を上から貫通する皿ビスの先部によって構成されている。
【００２１】
竿止め部１７は、図２（Ｃ）に示すように、竿載せ部１６に載せた釣竿２１を上部から保持して、重心が竿載せ部１６より前側にある釣竿２１を倒れないようにするためのものであり、第２の直線材１９の中央部分に跨がって固定された山形材２９を有している。この山形材２９の山形天井の部分には、第２の軟質部材の一例である発泡性プラスチック板（又は発泡性ゴム）３０が貼着されて、釣竿２１に疵が付かないようになっている。
第２の直線材１９の長さは第１の直線材１８の長さより短くなって、第２の直線材１９の両側には、底面から２〜５ｍｍ程度の長さで突出する滑り止め突起３１、３２が設けられているが、この滑り止め突起３１、３２は、第２の直線材１９を上から貫通する皿ビスの先部によって構成されている（図２（Ａ）参照）。
【００２２】
また、図２（Ｂ）に示すように、滑り止め突起３３、３４が、キール板を構成する長尺板２０の底面にも形成されている。
この滑り止め突起２７、２８、３１、３２、３３、３４を介して載置台１２はコンクリート製護岸用４脚ブロック１１に設置されるので、滑りが殆どなく、コンクリート製護岸用４脚ブロック１１を回して掛止ロッド１３、１４に固定される紐材１５によって強固にコンクリート製護岸用４脚ブロック１１に固定される。
掛止ロッド１３、１４は短い棒からなって、長尺板２０の幅より十分長く、紐材１５の端部を連結又は結び付けることができるようになっている。
【００２３】
続いて、この釣竿支持具１０の使用方法について、図３を参照しながら説明する。
まず、この釣竿支持具１０をコンクリート製護岸用４脚ブロック１１の一つの突出部に載せる。この場合、断面円形の突出部に対してその円周状に沿って載せるのがよい。紐材１５の一端を例えば、掛止ロット１３に取付けた状態で、コンクリート製護岸用４脚ブロック１１の突出部の背面側を沿わして掛止ロット１４に、紐材１５を緊張状態で固定する。
これによって、釣竿支持具１０がコンクリート製護岸用４脚ブロック１１に固定されるので、次に釣竿２１の基側中間部を竿載せ部１６のＵ字状溝２５ａに嵌入させて、釣竿２１の基側端部を竿止め部１７に入れ込んで、釣竿２１の保持が完了する。
なお、場合によって、釣竿２１を釣竿立設管２２に装着して釣りを行うこともできる。
【００２４】
本発明は前記実施の形態に限定されず、本発明の要旨を変更しない範囲での改良、変更は本発明の技術的範囲に含まれる。例えば、前記実施の形態においては、釣竿支持具の主要部材をアルミニウム又はアルミニウム合金によって構成したが、ステンレスや鉄、場合によっては、硬質のプラスチックによって構成する場合も本発明は適用される。
また、載置台はこの実施の形態においては、長尺板とその前後に配置された第１、第２の直線材によって構成したが、単に板状材とする場合や、第３の直線材を追加する場合も本発明の権利範囲に含まれる。釣竿立設管を第１の直線材に設置したが、第２の直線材又は支持部材に設けることもできる。
【図面の簡単な説明】
【００２５】
【図１】本発明の一実施の形態に係る釣竿支持具の斜視図である。
【図２】（Ａ）、（Ｂ）、（Ｃ）は、それぞれ図１における（ａ）部、（ｂ）部、（ｃ）部の拡大断面図である。
【図３】本発明の一実施の形態に係る釣竿支持具の使用状態を示す斜視図である。
【符号の説明】
【００２６】
１０：釣竿支持具、１１：コンクリート製護岸用４脚ブロック、１２：載置台、１３、１４：掛止ロッド、１５：紐材、１６：竿載せ部、１７：竿止め部、１８：第１の直線材、１９：第２の直線材、２０：長尺板、２１：釣竿、２１ａ：リール、２２：釣竿立設管、２３、２４：脚部、２４ａ：チェーン、２５：Ｕ字状板、２５ａ：Ｕ字状溝、２６：発泡性プラスチック板、２７、２８：滑り止め突起、２９：山形材、３０：発泡性プラスチック板、３１〜３４：滑り止め突起
【図１】
2005151811.tif 000003
【図２】
2005151811.tif 000004
【図３】
2005151811.tif 000005